(57)【要約】【課題】単一の保安情報のみを用いてガスの供給を遮断するか否かを判定する場合に比較して、ガスの供給を精度良く遮断することができるガス供給制御システムを提供する。【解決手段】ガス供給制御システム１０Ｂは、地域１２内の複数の需要家の各々に対するガスの供給を制御するガバナー制御装置６０と、各々が保安異常を示していると判定された保安情報をガバナー制御装置６０に送信する複数のガスメーター１６と、を備える。ガバナー制御装置６０は、複数のガスメーター１６の各々から保安異常を示していると判定された保安情報を受信し、受信した複数のガスメーター１６の各々について保安異常を示していると判定された保安情報により定まるガスメーター１６の数が、地域１２内のガスメーター１６の数の所定割合以上である場合に、ガスの供給を遮断すると判定し、複数のガスメーター１６の各々が設置されている需要家へのガスの供給を遮断する制御を行う。【選択図】図８
2018204947.tif 000002
【特許請求の範囲】
【請求項１】
所定の範囲の地域内の複数の需要家の各々に対するガスの供給を制御するガバナー制御装置と、
各々が保安異常を示していると判定された保安情報を前記ガバナー制御装置に送信する送信手段を有する複数のガスメーターと、
を備え、
前記ガバナー制御装置は、
前記複数のガスメーターの各々から、前記送信手段を介して送信された、保安異常を示していると判定された保安情報を受信する受信手段と、
前記受信手段により受信された前記複数のガスメーターの各々について保安異常を示していると判定された保安情報により定まる前記ガスメーターの数が、前記地域内のガスメーターの数の所定割合以上である場合に、ガスの供給を遮断すると判定する判定手段と、
前記判定手段によりガスの供給を遮断すると判定された場合に、前記複数のガスメーターの各々が設置されている前記需要家へのガスの供給を遮断する制御を行う制御手段と、
を備えたガス供給制御システム。
【請求項２】
前記判定手段は、自装置が備えるセンサの出力から得られる保安情報が、保安異常を示しているか否かをさらに判定し、
前記受信手段により受信された前記複数のガスメーターの各々について保安異常を示していると判定された保安情報により定まる前記ガスメーターの数が、前記地域内のガスメーターの数の所定割合以上であり、かつ、自装置についての保安情報が保安異常を示していないと判定した場合に、ガスの供給を遮断すると判定する請求項１記載のガス供給制御システム。
【請求項３】
複数の前記地域の各々におけるガスの供給を地域毎に管理する管理装置をさらに備え、
前記ガバナー制御装置は、
ガスの供給を遮断すると判定された保安情報の種類を示す種類情報を前記管理装置に送信する第２送信手段をさらに備え、
前記管理装置は、
前記ガバナー制御装置から、前記第２送信手段を介して送信された種類情報を受信する第２受信手段と、
前記第２受信手段により前記種類情報が受信されていないガバナー制御装置について、前記受信されていないガバナー制御装置が設けられている地域に隣接する地域に設けられているガバナー制御装置から前記第２受信手段により前記種類情報が受信されている場合は、前記受信されていないガバナー制御装置に対して、ガスの供給を遮断する指示を示す遮断指示情報を送信する第３送信手段と、
をさらに備え、
前記受信手段は、前記第３送信手段を介して送信された遮断指示情報をさらに受信し、
前記制御手段は、前記受信手段により前記遮断指示情報が受信された場合に、前記複数のガスメーターの各々が設置されている前記需要家へのガスの供給を遮断する制御をさらに行う
請求項１又は請求項２記載のガス供給制御システム。
【請求項４】
前記第２送信手段は、前記制御手段による制御に従って、前記複数のガスメーターの各々に対して、前記遮断指示情報をさらに送信する
請求項３記載のガス供給制御システム。
【請求項５】
複数の地域の各々におけるガスの供給を地域毎に管理する管理装置と、
各地域に複数設けられ、かつ、各々が保安異常を示していると判定された保安情報を前記管理装置に送信する送信手段を有する複数のガスメーターと、
各地域に設けられ、かつ、前記地域内の複数の需要家の各々に対するガスの供給を制御するガバナー制御装置と、
を備え、
前記管理装置は、
前記地域毎に、前記複数のガスメーターの各々から、前記送信手段を介して送信された、保安異常を示していると判定された保安情報を受信する受信手段と、
前記受信手段により受信された前記複数のガスメーターの各々について保安異常を示していると判定された保安情報により定まる前記ガスメーターの数が、前記地域内のガスメーターの数の所定割合以上である場合に、ガスの供給を遮断すると判定する判定手段と、
前記判定手段によりガスの供給を遮断すると判定された場合に、前記地域の前記ガバナー制御装置及び前記複数のガスメーターの各々の少なくとも一方に対して、ガスの供給を遮断する指示を示す遮断指示情報を送信する第２送信手段と、
を備えたガス供給制御システム。
【発明の詳細な説明】
【技術分野】
【０００１】
本発明は、ガス供給制御システムに関する。
【背景技術】
【０００２】
従来、ガスの保安のために、ガスが供給される需要家に設置されたガスメーターに対して加えられた振動値が所定値以上となった場合に、ガスの供給を遮断することが行われている。
【０００３】
特許文献１には、自己のガスメーターに加えられた振動値と、振動値が所定値以上となった他のガスメーターから受信した振動値とを照合して地震が発生したか否かを判定するガスメーターが開示されている。このガスメーターは、地震が発生したと判定した場合に、ガスの供給を遮断する。
【０００４】
特許文献２には、所定の範囲の地域内の複数の需要家へのガスの供給を一括して制御するガバナー制御装置において、規模が所定値以上の地震を検出した場合に、ガスの供給を遮断する供給制御システムが開示されている。
【先行技術文献】
【特許文献】
【０００５】
【特許文献１】特開２００８−１３９２６９号公報
【特許文献２】特許５３３５０５７号公報
【発明の概要】
【発明が解決しようとする課題】
【０００６】
しかしながら、上記振動値や地震の規模といった単一の保安情報のみでは、ガスの保安のためにガスの供給を遮断すべき場合でも、ガスの供給の遮断が精度良く行われない、という問題点があった。
【０００７】
本発明は上記問題点を解決するためになされたものであり、単一の保安情報のみを用いてガスの供給を遮断するか否かを判定する場合に比較して、ガスの供給を精度良く遮断することができるガス供給制御システムを提供することを目的とする。
【課題を解決するための手段】
【０００８】
上記目的を達成するために、第１の発明のガス供給制御システムは、所定の範囲の地域内の複数の需要家の各々に対するガスの供給を制御するガバナー制御装置と、各々が保安異常を示していると判定された保安情報を前記ガバナー制御装置に送信する送信手段を有する複数のガスメーターと、を備え、前記ガバナー制御装置は、前記複数のガスメーターの各々から、前記送信手段を介して送信された、保安異常を示していると判定された保安情報を受信する受信手段と、前記受信手段により受信された前記複数のガスメーターの各々について保安異常を示していると判定された保安情報により定まる前記ガスメーターの数が、前記地域内のガスメーターの数の所定割合以上である場合に、ガスの供給を遮断すると判定する判定手段と、前記判定手段によりガスの供給を遮断すると判定された場合に、前記複数のガスメーターの各々が設置されている前記需要家へのガスの供給を遮断する制御を行う制御手段と、を備えている。
【０００９】
また、上記目的を達成するために、第２の発明のガス供給制御システムは、複数の地域の各々におけるガスの供給を地域毎に管理する管理装置と、各地域に複数設けられ、かつ、各々が保安異常を示していると判定された保安情報を前記管理装置に送信する送信手段を有する複数のガスメーターと、各地域に設けられ、かつ、前記地域内の複数の需要家の各々に対するガスの供給を制御するガバナー制御装置と、を備え、前記管理装置は、前記地域毎に、前記複数のガスメーターの各々から、前記送信手段を介して送信された、保安異常を示していると判定された保安情報を受信する受信手段と、前記受信手段により受信された前記複数のガスメーターの各々について保安異常を示していると判定された保安情報により定まる前記ガスメーターの数が、前記地域内のガスメーターの数の所定割合以上である場合に、ガスの供給を遮断すると判定する判定手段と、前記判定手段によりガスの供給を遮断すると判定された場合に、前記地域の前記ガバナー制御装置及び前記複数のガスメーターの各々の少なくとも一方に対して、ガスの供給を遮断する指示を示す遮断指示情報を送信する第２送信手段と、を備えている。
【発明の効果】
【００１０】
本発明によれば、単一の保安情報のみを用いてガスの供給を遮断するか否かを判定する場合に比較して、ガスの供給を精度良く遮断することができる。
【図面の簡単な説明】
【００１１】
【図１】第１の実施の形態に係るガス供給制御システムの構成を示す模式図である。
【図２】各実施の形態に係るガスメーターの電気系の要部構成を示すブロック図である。
【図３】第１の実施の形態に係るガス供給制御処理プログラムの処理の流れを示すフローチャートである。
【図４】ガスメーターが個々にガスの供給の遮断の制御を行った状態の一例を示す模式図である。
【図５】ガスメーターが他のガスメーターから受信した保安情報も用いてガスの供給の遮断の制御を行った状態の一例を示す模式図である。
【図６】ガスメーターが個々にガスの供給の遮断の制御を行った状態の一例を示す模式図である。
【図７】ガスメーターが他のガスメーターから受信した保安情報も用いてガスの供給の遮断の制御を行った状態の一例を示す模式図である。
【図８】第２の実施の形態に係るガス供給制御システムの構成を示す模式図である。
【図９】第２の実施の形態及び第３の実施の形態に係るガバナー制御装置の電気系の要部構成を示すブロック図である。
【図１０】第２の実施の形態及び第３の実施の形態に係る保安情報送信処理プログラムの処理の流れを示すフローチャートである。
【図１１】第２の実施の形態に係るガス供給制御処理プログラムの処理の流れを示すフローチャートである。
【図１２】ガバナー制御装置が自装置のみの保安情報に基づいてガスの供給の遮断の制御を行った状態の一例を示す模式図である。
【図１３】ガバナー制御装置が各ガスメーターから受信した保安情報も用いてガスの供給の遮断の制御を行った状態の一例を示す模式図である。
【図１４】第３の実施の形態に係るガス供給制御システムの構成を示す模式図である。
【図１５】第３の実施の形態に係る管理装置の電気系の要部構成を示すブロック図である。
【図１６】第３の実施の形態に係るガス供給制御処理プログラムの処理の流れを示すフローチャートである。
【図１７】第３の実施の形態に係るガス供給管理処理プログラムの処理の流れを示すフローチャートである。
【図１８】ガバナー制御装置が個々にガスの供給の遮断の制御を行った状態の一例を示す模式図である。
【図１９】管理装置がガバナー制御装置から受信した種類情報を用いてガスの供給の遮断の制御を行った状態の一例を示す模式図である。
【発明を実施するための形態】
【００１２】
以下、図面を参照して、本発明を実施するための形態例を詳細に説明する。
【００１３】
［第１の実施の形態］
まず、図１を参照して、本実施の形態に係るガス供給制御システム１０Ａの構成について説明する。図１に示すように、本実施の形態に係るガス供給制御システム１０Ａは、所定の範囲の地域１２内の需要家１４Ａ〜１４Ｊに各々１つずつ設置されたガスメーター１６Ａ〜１６Ｊを備えている。なお、以下では、需要家１４Ａ〜１４Ｊを区別する必要がない場合は、符号末尾のアルファベットを省略する。また、以下では、ガスメーター１６Ａ〜１６Ｊを区別する必要がない場合は、符号末尾のアルファベットを省略する。
【００１４】
本実施の形態に係るガスメーター１６は、遮断弁４４（図２参照。）が開閉可能に設けられており、遮断弁４４を開状態とすることにより需要家１４へのガスの供給を行う。また、ガスメーター１６は、遮断弁４４を閉状態とすることにより需要家１４へのガスの供給を遮断する。
【００１５】
また、ガスメーター１６は、隣り合う需要家１４に設置されているガスメーター１６と無線通信によりデータの送受信が相互に可能となっている。また、各ガスメーター１６は、直接通信ができない場合においても、通信経路の途中に位置するガスメーター１６を経由することによりデータの送受信が相互に可能となっている。例えば、図１に示すガスメーター１６Ａは、ガスメーター１６Ｂ、１６Ｃとは直接的にデータの送受信が相互に可能となっており、ガスメーター１６Ｄとはガスメーター１６Ｂを経由することでデータの送受信が相互に可能となっている。なお、各ガスメーター１６間の通信は有線通信であってもよい。
【００１６】
次に、図２を参照して、本実施の形態に係るガスメーター１６の電気系の要部構成について説明する。図２に示すように、本実施の形態に係るガスメーター１６は、ガスメーター１６の全体的な動作を司るＣＰＵ（Central Processing Unit）３０、及び各種プログラムや各種パラメータ等が予め記憶されたＲＯＭ（Read Only Memory）３２を備えている。また、ガスメーター１６は、ＣＰＵ３０による各種プログラムの実行時のワークエリア等として用いられるＲＡＭ（Random Access Memory）３４、及びフラッシュメモリ等の不揮発性の記憶部３６を備えている。
【００１７】
また、ガスメーター１６は、外部装置と通信データの送受信を行う通信回線Ｉ／Ｆ（Interface）部３８、及びユーザに対してガスメーター１６の動作状況等に関する各種情報を通知する表示部４０を備えている。また、ガスメーター１６は、ユーザからの各種指示を受け付ける操作部４２、及び前述した遮断弁４４を備えている。
【００１８】
また、ガスメーター１６は、ガスの保安に関する複数種類の保安情報を取得するために、加速度センサ４６、超音波センサ４８、温度センサ５０、火災センサ５２、湿度センサ５４、及び圧力センサ５６を備えている。本実施の形態に係る加速度センサ４６は、３軸の加速度を検出する。なお、ここでいう３軸とは一例として、水平方向の一方向をＸ軸とし、水平方向のＸ軸に直交する方向をＹ軸とし、Ｘ軸及びＹ軸に直交する鉛直方向をＺ軸とした３軸である。本実施の形態に係る超音波センサ４８は、一例として超音波を用いたセンサを含み、ガスメーター１６内の埃の量が所定量以上となった場合、及びガスメーター１６内に水が浸入した場合にそれぞれセンサが異常となったことを示すセンサ異常信号を出力する。なお、超音波センサ４８は、超音波を用いたセンサに限らず、ガスメーター１６内の埃の量が所定量以上となったこと、及びガスメーター１６内に水が浸入したことを検知可能であれば、超音波以外を用いたセンサでもよい。
【００１９】
本実施の形態に係る温度センサ５０は、ガスメーター１６の本体の温度（以下、単に「本体温度」という。）を検出すると共に、ガスメーター１６を介して需要家１４に供給されるガスの温度（以下、単に「ガス温度」という。）を検出する。本実施の形態に係る火災センサ５２は、一例として赤外線を用いたセンサであり、煙の量が所定量以上となった場合に火災が発生したことを示す火災発生信号を出力する。本実施の形態に係る湿度センサ５４は、ガスメーター１６内の湿度を検出する。本実施の形態に係る圧力センサ５６は、ガスメーター１６を介して供給されるガスの圧力を検出する。
【００２０】
そして、ＣＰＵ３０、ＲＯＭ３２、ＲＡＭ３４、記憶部３６、通信回線Ｉ／Ｆ部３８、表示部４０、及び操作部４２の各部がバス５８を介して互いに接続されている。また、これらの各部に加え、遮断弁４４、加速度センサ４６、超音波センサ４８、温度センサ５０、火災センサ５２、湿度センサ５４、及び圧力センサ５６の各部もバス５８を介して互いに接続されている。
【００２１】
以上の構成により、本実施の形態に係るガスメーター１６は、ＣＰＵ３０により、ＲＯＭ３２、ＲＡＭ３４、及び記憶部３６に対するアクセス、並びに通信回線Ｉ／Ｆ部３８を介した通信データの送受信を各々行う。また、ガスメーター１６は、ＣＰＵ３０により、表示部４０に対する各種情報の表示、操作部４２を介した各種データの取得、及び遮断弁４４の開閉の制御を各々行う。
【００２２】
また、ガスメーター１６は、ＣＰＵ３０により、加速度センサ４６から出力された３軸の加速度、超音波センサ４８から出力されたセンサ異常信号、及び温度センサ５０から出力された本体温度とガス温度の取得を各々行う。また、ガスメーター１６は、ＣＰＵ３０により、火災センサ５２から出力された火災発生信号、湿度センサ５４から出力された湿度、及び圧力センサ５６から出力された圧力の取得を各々行う。
【００２３】
また、ガスメーター１６は、ＣＰＵ３０により、加速度センサ４６から取得した３軸の加速度に基づいて、地震の規模を示す値としてのＳＩ（Spectrum Intensity）値を導出する。また、ガスメーター１６は、ＣＰＵ３０により、加速度センサ４６から取得した３軸の加速度に基づいて、ガスメーター１６の水平方向に対する傾きの角度（すなわち、ガスメーター１６が設置されている位置の地面の傾きの角度）を導出する。また、ガスメーター１６は、ＣＰＵ３０により、加速度センサ４６から取得した３軸の加速度に基づいて、長周期の振動を示す値としての長周期ＳＩ値を導出する。
【００２４】
次に、図３を参照して、本実施の形態に係るガスメーター１６の作用を説明する。なお、図３は、例えばガスメーター１６の電源がオン状態とされた際にＣＰＵ３０によって実行されるガス供給制御処理プログラムの処理の流れを示すフローチャートである。また、該ガス供給制御処理プログラムはＲＯＭ３２に予めインストールされている。
【００２５】
図３のステップ１００では、ＣＰＵ３０は、加速度センサ４６、超音波センサ４８、温度センサ５０、火災センサ５２、湿度センサ５４、及び圧力センサ５６からの出力を各々取得する。
【００２６】
次のステップ１０２では、ＣＰＵ３０は、上記ステップ１００の処理により取得した各センサの出力の少なくとも１つが、ガスの保安に関する異常（以下、「保安異常」という。）を示しているか否かを判定する。ＣＰＵ３０は、この判定が肯定判定となった場合はステップ１０４の処理に移行する。ここで、各センサからの出力が保安異常を示しているか否かの判定方法について説明する。
【００２７】
ＣＰＵ３０は、加速度センサ４６から出力された３軸の加速度に基づいてＳＩ値を導出し、導出したＳＩ値が閾値Ｖ１（例えば震度５強相当の値）以上である場合に、加速度センサ４６からの出力が保安異常を示していると判定する。また、ＣＰＵ３０は、加速度センサ４６から出力された３軸の加速度に基づいて上記傾きの角度を導出し、導出した角度が閾値Ｖ２以上である場合に、加速度センサ４６からの出力が保安異常を示していると判定する。また、ＣＰＵ３０は、加速度センサ４６から出力された３軸の加速度に基づいて長周期ＳＩ値を導出し、導出した長周期ＳＩ値が閾値Ｖ３以上である場合に、加速度センサ４６からの出力が保安異常を示していると判定する。
【００２８】
また、ＣＰＵ３０は、超音波センサ４８からセンサ異常信号が出力された場合に、超音波センサ４８からの出力が保安異常を示していると判定する。また、ＣＰＵ３０は、温度センサ５０から出力された本体温度が閾値Ｖ４（例えば１００℃）以上である場合に、火災が発生したものと見なして温度センサ５０からの出力が保安異常を示していると判定する。また、ＣＰＵ３０は、温度センサ５０から出力された本体温度とガス温度との差が閾値Ｖ５以上である場合に、火災が発生したものと見なして温度センサ５０からの出力が保安異常を示していると判定する。
【００２９】
また、ＣＰＵ３０は、火災センサ５２から火災発生信号が出力された場合に、火災センサ５２からの出力が保安異常を示していると判定する。また、ＣＰＵ３０は、湿度センサ５４から出力された湿度が閾値Ｖ６以上である場合に、ガスメーター１６やガス管に水が浸入しているものと見なして湿度センサ５４からの出力が保安異常を示していると判定する。また、ＣＰＵ３０は、圧力センサ５６から出力された圧力が、ガスの圧力の正常値として予め定められた範囲外である場合に、圧力センサ５６からの出力が保安異常を示していると判定する。
【００３０】
ステップ１０４では、ＣＰＵ３０は、上記ステップ１０２の処理により保安異常を示していると判定した保安情報を全ての他のガスメーター１６に通信回線Ｉ／Ｆ部３８を介して送信する。具体的には、ＣＰＵ３０は、加速度センサ４６からの出力が保安異常を示している判定した場合は、上記ＳＩ値、上記傾きの角度、及び上記長周期ＳＩ値を他のガスメーター１６に送信する。また、ＣＰＵ３０は、超音波センサ４８からの出力が保安異常を示している判定した場合は、超音波センサ４８からセンサ異常信号が出力されたことを示すセンサ異常情報を他のガスメーター１６に送信する。
【００３１】
また、ＣＰＵ３０は、温度センサ５０からの出力が保安異常を示している判定した場合は、温度センサ５０から取得した本体温度及びガス温度を他のガスメーター１６に送信する。また、ＣＰＵ３０は、火災センサ５２からの出力が保安異常を示している判定した場合は、火災センサ５２から火災発生信号が出力されたことを示す火災発生情報を他のガスメーター１６に送信する。また、ＣＰＵ３０は、湿度センサ５４からの出力が保安異常を示している判定した場合は、湿度センサ５４から取得した湿度を他のガスメーター１６に送信する。また、ＣＰＵ３０は、圧力センサ５６からの出力が保安異常を示している判定した場合は、圧力センサ５６から取得した圧力を他のガスメーター１６に送信する。
【００３２】
一方、ＣＰＵ３０は、上記ステップ１０２の判定が否定判定となった場合は、上記ステップ１０４の処理を実行することなくステップ１０６の処理に移行する。ステップ１０６では、ＣＰＵ３０は、他のガスメーター１６により保安異常があると判定されて送信された情報を通信回線Ｉ／Ｆ部３８を介して受信する。
【００３３】
次のステップ１０８では、ＣＰＵ３０は、他のガスメーター１６から送信された情報の受信を終了するタイミングが到来したか否かを判定する。ＣＰＵ３０は、この判定が否定判定となった場合は上記ステップ１００の処理に戻る一方、この判定が肯定判定となった場合はステップ１１０の処理に移行する。なお、本実施の形態では、上記受信を終了するタイミングとして、全ての他のガスメーター１６から送信された情報を受信したタイミング、及び全ての他のガスメーター１６から該情報を受信していない場合でも、最初に他のガスメーター１６から該情報を受信してから、一定期間が経過したタイミングを適用している。
【００３４】
ステップ１１０では、ＣＰＵ３０は、上記ステップ１０２の処理により保安異常を示していると判定した情報、及び上記ステップ１０６の処理によって受信した他のガスメーター１６により保安異常を示していると判定されて送信された情報に基づいて、ガスの供給を遮断すると判定するための判定基準を満たしているか否かを判定する。ＣＰＵ３０は、この判定が否定判定となった場合は上記ステップ１００の処理に戻る一方、この判定が肯定判定となった場合はステップ１１２の処理に移行する。ここで、この判定基準について説明する。
【００３５】
本実施の形態では、一例として、ＣＰＵ３０は、ＳＩ値が閾値Ｖ１以上であることを検出したガスメーター１６の数が地域１２内の全ガスメーター１６の数の所定割合（例えば８０％）以上である場合に、ガスの供給を遮断すると判定する。また、ＣＰＵ３０は、上記傾きの角度が閾値Ｖ２以上であることを検出したガスメーター１６の数が地域１２内の全ガスメーター１６の数の所定割合以上である場合に、ガスの供給を遮断すると判定する。また、ＣＰＵ３０は、長周期ＳＩ値が閾値Ｖ３以上であることを検出したガスメーター１６の数が地域１２内の全ガスメーター１６の数の所定割合以上である場合に、ガスの供給を遮断すると判定する。
【００３６】
また、ＣＰＵ３０は、センサ異常信号を検出したガスメーター１６の数が地域１２内の全ガスメーター１６の数の所定割合以上である場合に、ガスの供給を遮断すると判定する。また、ＣＰＵ３０は、本体温度が閾値Ｖ４以上であることを検出したガスメーター１６の数が地域１２内の全ガスメーター１６の数の所定割合以上である場合に、ガスの供給を遮断すると判定する。また、ＣＰＵ３０は、本体温度とガス温度との差が閾値Ｖ５以上であることを検出したガスメーター１６の数が地域１２内の全ガスメーター１６の数の所定割合以上である場合に、ガスの供給を遮断すると判定する。
【００３７】
また、ＣＰＵ３０は、火災発生信号を検出したガスメーター１６の数が地域１２内の全ガスメーター１６の数の所定割合以上である場合に、ガスの供給を遮断すると判定する。また、ＣＰＵ３０は、湿度が閾値Ｖ６以上であることを検出したガスメーター１６の数が地域１２内の全ガスメーター１６の数の所定割合以上である場合に、ガスの供給を遮断すると判定する。また、ＣＰＵ３０は、ガスの圧力がガスの圧力の正常値の範囲として予め定められた範囲外であることを検出したガスメーター１６の数が地域１２内の全ガスメーター１６の数の所定割合以上である場合に、ガスの供給を遮断すると判定する。
【００３８】
なお、ガスの供給の遮断に関する判定方法は、以上説明した方法に限らない。例えば、検出した値によって重み付けを行ったり、上記所定割合を変えたりしてもよい。例えば、重み付けを行う場合、ＣＰＵ３０は、ＳＩ値が大きいほど大きい重み値を設定してガスの供給の遮断に関する判定を行う。具体的には、例えば、ＣＰＵ３０は、ＳＩ値が閾値Ｖ１以上で、かつ閾値Ｖ１より大きい閾値Ｖ７（例えば震度６弱相当の値）未満であることを検出したガスメーター１６については１個とカウントする。また、ＣＰＵ３０は、ＳＩ値が閾値Ｖ７以上で、かつ閾値Ｖ７より大きい閾値Ｖ８（例えば震度６強相当の値）未満であることを検出したガスメーター１６については１．５個とカウントする。また、ＣＰＵ３０は、ＳＩ値が閾値Ｖ８以上であることを検出したガスメーター１６については２個とカウントする。そして、ＣＰＵ３０は、以上のように重み付けを行って合算したガスメーター１６の数が地域１２内の全ガスメーター１６の数の所定割合以上である場合に、ガスの供給を遮断すると判定する。
【００３９】
また、例えば、上記所定割合を変える場合、ＣＰＵ３０は、ＳＩ値が大きいほど所定割合を低くしてガスの供給の遮断に関する判定を行う。具体的には、例えば、ＣＰＵ３０は、ＳＩ値が閾値Ｖ７以上であることを検出したガスメーター１６の数が地域１２内の全ガスメーター１６の数の上記所定割合より低い割合（例えば６０％）以上である場合に、ガスの供給を遮断すると判定する。また、例えば、ＣＰＵ３０は、ＳＩ値が震度７に相当する値以上であることを検出したガスメーター１６が１個でもあった場合はガスの供給を遮断すると判定する。
【００４０】
なお、以上説明した検出した値による重み付けや上記所定割合の変更は、ＳＩ値に限らず、上記傾きの角度、長周期ＳＩ値、本体温度、及び本体温度とガス温度との差にも同様に適用可能である。
【００４１】
また、例えば、上記ステップ１００〜ステップ１０８の繰り返し処理による一定期間内に、保安異常を示していると判定した回数によって重み付けを行ったり、上記所定割合を変えたりしてもよい。例えば、ＣＰＵ３０は、上記火災発生信号を検出した回数が多いほど大きい重み値を設定してガスの供給の遮断に関する判定を行う。具体的には、例えば、ＣＰＵ３０は、上記火災発生信号を上記一定期間内に１回検出したガスメーター１６については１個とカウントする。また、例えば、ＣＰＵ３０は、上記火災発生信号を上記一定期間内に複数回（例えば２回以上回数Ｃ１回（例えば１０回）未満）検出したガスメーター１６については１．５個とカウントする。また、例えば、ＣＰＵ３０は、上記火災発生信号を上記一定期間内に回数Ｃ１回以上検出したガスメーター１６については２個とカウントする。そして、ＣＰＵ３０は、以上のように重み付けを行って合算したガスメーター１６の数が地域１２内の全ガスメーター１６の数の所定割合以上である場合に、ガスの供給を遮断すると判定する。
【００４２】
また、例えば、上記所定割合を変える場合、ＣＰＵ３０は、上記火災発生信号を検出した回数が多いほど所定割合を低くしてガスの供給の遮断に関する判定を行う。具体的には、例えば、ＣＰＵ３０は、上記火災発生信号を検出した回数が２回以上Ｃ１回未満であることを検出したガスメーター１６の数が地域１２内の全ガスメーター１６の数の上記所定割合より低い割合（例えば６０％）以上である場合に、ガスの供給を遮断すると判定する。また、例えば、ＣＰＵ３０は、上記火災発生信号を上記一定期間内に回数Ｃ１回以上検出したガスメーター１６が１個でもあった場合はガスの供給を遮断すると判定する。
【００４３】
なお、以上説明した判定した回数による重み付けや上記所定割合の変更は、火災発生信号に限らず、上記センサ異常信号を出力した回数、湿度センサ５４からの出力が保安異常を示していると判定した回数、圧力センサ５６からの出力が保安異常を示していると判定した回数にも同様に適用可能である。
【００４４】
以上説明したように、検出した値による重み付けや上記所定割合の変更、及び判定した回数による重み付けや上記所定割合の変更を行うことにより、判定基準を画一的に決定する場合に比較して、必要に応じて、ガスの供給をより精度良く遮断することができる。
【００４５】
ステップ１１２では、ＣＰＵ３０は、遮断弁４４を閉状態にすることによりガスメーター１６から需要家１４へのガスの供給を遮断して、本ガス供給制御処理プログラムを終了する。
【００４６】
図４及び図５には、一例として、ガスメーター１６Ｂ、１６Ｄ、１６Ｆ、１６Ｇ、１６Ｉ、１６Ｊの超音波センサ４８が、センサが異常となったことを検出した場合の各ガスメーター１６におけるガスの遮断状態を示している。なお、図４は、各ガスメーター１６が、自装置の超音波センサ４８からの出力を用いてガスの供給の遮断の制御を個々に行った状態を示している。また、図５は、各ガスメーター１６が、本実施の形態のように、自装置の超音波センサ４８からの出力に加えて、地域１２内の他のガスメーター１６の超音波センサ４８からの出力も用いてガスの供給の遮断の制御を行った状態を示している。
【００４７】
図４に示すように、各ガスメーター１６がガスの供給の遮断の制御を個々に行った場合、超音波センサ４８が異常となったことを検出したガスメーター１６Ｂ、１６Ｄ、１６Ｆ、１６Ｇ、１６Ｉ、１６Ｊを介したガスの供給は遮断される。一方、超音波センサ４８が異常となったことを検出していないガスメーター１６Ａ、１６Ｃ、１６Ｅ、１６Ｈを介したガスの供給は継続して行われる。
【００４８】
一方、図５に示すように、各ガスメーター１６が地域１２内の他のガスメーター１６の超音波センサ４８からの出力も用いた場合、超音波センサ４８が異常となったことを検出していないガスメーター１６Ａ、１６Ｃ、１６Ｅ、１６Ｈを介したガスの供給も遮断される。
【００４９】
また、図６及び図７には、一例として、ガスメーター１６Ｅの加速度センサ４６から出力された３軸の加速度から導出したＳＩ値が、閾値Ｖ１未満である場合の各ガスメーター１６におけるガスの遮断状態を示している。また、図６及び図７では、一例として、ガスメーター１６Ｅ以外のガスメーター１６の加速度センサ４６から出力された３軸の加速度から導出したＳＩ値は閾値Ｖ１以上である状態について示している。なお、図６及び図７では、一例として、ガスメーター１６Ｅの上記ＳＩ値が、震度５弱相当の値である状態を示し、ガスメーター１６Ａ、１６Ｂ、１６Ｉの上記ＳＩ値が、震度５強相当の値である状態を示している。
【００５０】
また、図６及び図７では、一例として、ガスメーター１６Ｃ、１６Ｄ、１６Ｆ、１６Ｇ、１６Ｊの上記ＳＩ値が、震度６弱相当の値である状態を示し、ガスメーター１６Ｈの上記ＳＩ値が、震度６強相当の値である状態を示している。また、図６は、各ガスメーター１６が、自装置の加速度センサ４６からの出力を用いてガスの供給の遮断の制御を個々に行った状態を示している。また、図７は、各ガスメーター１６が、本実施の形態のように、自装置の加速度センサ４６からの出力に加えて、地域１２内の他のガスメーター１６の加速度センサ４６からの出力も用いてガスの供給の遮断の制御を行った状態を示している。
【００５１】
図６に示すように、各ガスメーター１６がガスの供給の遮断の制御を個々に行った場合、上記ＳＩ値が閾値Ｖ１以上となったことを検出したガスメーター１６Ａ〜１６Ｄ、１６Ｆ〜１６Ｊを介したガスの供給は遮断される。一方、上記ＳＩ値が閾値Ｖ１以上となったことを検出していないガスメーター１６Ｅを介したガスの供給は継続して行われる。
【００５２】
一方、図７に示すように、各ガスメーター１６が地域１２内の他のガスメーター１６の加速度センサ４６からの出力も用いた場合、上記ＳＩ値が閾値Ｖ１以上となったことを検出していないガスメーター１６Ｅを介したガスの供給も遮断される。
【００５３】
以上説明したように、本実施の形態によれば、複数種類の保安情報を用いてガスの供給を遮断するか否かを判定しているので、単一の保安情報のみを用いてガスの供給を遮断するか否かを判定する場合に比較して、ガスの供給を精度良く遮断することができる。
【００５４】
また、本実施の形態によれば、複数のガスメーター１６の保安情報を用いているので、個々のガスメーター１６のみの状況だけではなく、地域１２内の他のガスメーター１６の状況を加味した上でガスの供給を遮断することができる。
【００５５】
［第２の実施の形態］
まず、図８を参照して、本実施の形態に係るガス供給制御システム１０Ｂの構成について説明する。なお、図８における図１と同一の機能を有する構成部位については図１と同一の符号を付して、その説明を省略する。図８に示すように、本実施の形態に係るガス供給制御システム１０Ｂは、各ガスメーター１６へのガスの供給を一括して制御するガバナー制御装置６０を備えている。
【００５６】
本実施の形態に係るガバナー制御装置６０は、遮断弁７６Ａ（図９参照。）が開閉可能に設けられたガバナー７６（図９参照。）を有している。そして、ガバナー制御装置６０は、遮断弁７６Ａを開状態とすることによりガバナー７６を介した各ガスメーター１６へのガスの供給を行う。また、ガバナー制御装置６０は、遮断弁７６Ａを閉状態とすることによりガバナー７６を介した各ガスメーター１６へのガスの供給を各ガスメーター１６の上流で一括して遮断する。
【００５７】
また、ガバナー制御装置６０は、通信可能な距離に設置されているガスメーター１６（図８に示す例では最も近い位置に設置されているガスメーター１６Ｃ）と無線通信によりデータの送受信が相互に可能となっている。また、ガバナー制御装置６０は、直接通信ができないガスメーター１６との間でも通信経路の途中に位置するガスメーター１６を経由することによりデータの送受信が相互に可能となっている。例えば、ガバナー制御装置６０は、図８に示すガスメーター１６Ｄとはガスメーター１６Ａ〜１６Ｃを経由することでデータの送受信が相互に可能となっている。なお、ガバナー制御装置６０とガスメーター１６との間の通信は有線通信であってもよい。
【００５８】
次に、本実施の形態に係るガスメーター１６について、上記第１の実施の形態に係るガスメーター１６とは異なる部分についてのみ説明する。本実施の形態に係るガスメーター１６は、ＣＰＵ３０により、通信回線Ｉ／Ｆ部３８を介した通信データの送受信をガバナー制御装置６０のみと行う。また、本実施の形態に係るガスメーター１６は、他のガスメーター１６との通信については、前述したようにガバナー制御装置６０との通信データの送受信を行う場合の該通信データの転送のみを行う。また、本実施の形態に係るガスメーター１６は、自装置の各センサからの出力に基づいて、ガスの供給を遮断するか否かの判定を行う。
【００５９】
次に、図９を参照して、本実施の形態に係るガバナー制御装置６０の電気系の要部構成について説明する。図９に示すように、本実施の形態に係るガバナー制御装置６０は、ガバナー制御装置６０の全体的な動作を司るＣＰＵ６２、及び各種プログラムや各種パラメータ等が予め記憶されたＲＯＭ６４を備えている。また、ガバナー制御装置６０は、ＣＰＵ６２による各種プログラムの実行時のワークエリア等として用いられるＲＡＭ６６、及びフラッシュメモリ等の不揮発性の記憶部６８を備えている。
【００６０】
また、ガバナー制御装置６０は、外部装置と通信データの送受信を行う通信回線Ｉ／Ｆ部７０、及びユーザに対してガバナー制御装置６０の動作状況等に関する各種情報を通知する表示部７２を備えている。また、ガバナー制御装置６０は、ユーザからの各種指示を受け付ける操作部７４、及び前述した遮断弁７６Ａを有するガバナー７６を備えている。また、ガバナー制御装置６０は、上記第１の実施の形態に係る加速度センサ４６と同様の加速度センサ７８を備えている。そして、ＣＰＵ６２、ＲＯＭ６４、ＲＡＭ６６、記憶部６８、通信回線Ｉ／Ｆ部７０、表示部７２、操作部７４、ガバナー７６、及び加速度センサ７８の各部がバス８０を介して互いに接続されている。
【００６１】
以上の構成により、本実施の形態に係るガバナー制御装置６０は、ＣＰＵ６２により、ＲＯＭ６４、ＲＡＭ６６、及び記憶部６８に対するアクセス、並びに通信回線Ｉ／Ｆ部７０を介した通信データの送受信を各々行う。また、ガバナー制御装置６０は、ＣＰＵ６２により、表示部７２に対する各種情報の表示、操作部７４を介した各種データの取得、及び遮断弁７６Ａの開閉の制御を各々行う。
【００６２】
また、ガバナー制御装置６０は、ＣＰＵ６２により、加速度センサ７８から出力された３軸の加速度を取得する。また、ガバナー制御装置６０は、上記第１の実施の形態に係るガスメーター１６と同様に、加速度センサ４６から取得した３軸の加速度に基づいて、ＳＩ値、ガバナー制御装置６０の水平方向に対する傾きの角度、及び長周期ＳＩ値を各々導出する。
【００６３】
次に、図１０及び図１１を参照して、本実施の形態に係るガス供給制御システム１０Ｂの作用を説明する。なお、図１０は、例えばガスメーター１６の電源がオン状態とされた際にＣＰＵ３０によって実行される保安情報送信処理プログラムの処理の流れを示すフローチャートである。また、該保安情報送信処理プログラムはＲＯＭ３２に予めインストールされている。また、図１０における図３と同一の処理を実行するステップについては図３と同一のステップ番号を付して、その説明を省略する。一方、図１１は、例えばガバナー制御装置６０の電源がオン状態とされた際にＣＰＵ６２によって実行されるガス供給制御処理プログラムの処理の流れを示すフローチャートである。また、該ガス供給制御処理プログラムはＲＯＭ６４に予めインストールされている。
【００６４】
図１０のステップ１０２Ａでは、ＣＰＵ３０は、上記第１の実施の形態に係るガス供給制御処理プログラムのステップ１０２の処理と同様に、上記ステップ１００の処理により取得した各センサの出力の少なくとも１つが保安異常を示しているか否かを判定する。ＣＰＵ３０は、この判定が否定判定となった場合は上記ステップ１００の処理に戻る一方、肯定判定となった場合はステップ１０４Ａの処理に移行する。
【００６５】
ステップ１０４Ａでは、ＣＰＵ３０は、上記ステップ１０２Ａの処理により保安異常を示していると判定した保安情報をガバナー制御装置６０に通信回線Ｉ／Ｆ部３８を介して送信する。
【００６６】
図１１のステップ１５０では、ＣＰＵ６２は、加速度センサ７８からの出力を取得する。次のステップ１５２では、ＣＰＵ６２は、上記保安情報送信処理プログラムのステップ１０４Ａの処理によって地域１２内のガスメーター１６により保安異常があると判定されて送信された情報を通信回線Ｉ／Ｆ部７０を介して受信する。
【００６７】
次のステップ１５４では、ＣＰＵ６２は、ガスメーター１６から送信された情報の受信を終了するタイミングが到来したか否かを判定する。ＣＰＵ６２は、この判定が否定判定となった場合は上記ステップ１５０の処理に戻る一方、この判定が肯定判定となった場合はステップ１５６の処理に移行する。なお、本実施の形態では、上記受信を終了するタイミングとして、地域１２内の全てのガスメーター１６から送信された情報を受信したタイミング、及び全てのガスメーター１６から該情報を受信していない場合でも、最初にガスメーター１６から該情報を受信してから、一定期間が経過したタイミングを適用している。
【００６８】
ステップ１５６では、ＣＰＵ６２は、上記ステップ１５０の処理により取得した加速度、及び上記ステップ１５２の処理によって受信したガスメーター１６により保安異常を示していると判定されて送信された情報に基づいて、ガスの供給を遮断すると判定するための判定基準を満たしているか否かを判定する。なお、本ステップ１５６による判定については、上記ガス供給制御処理プログラムのステップ１１０の処理において行った判定を、上記ステップ１５０の処理により取得した加速度に基づいて導出されたＳＩ値、上記傾きの角度、及び長周期ＳＩ値を加えて行えばよいため、ここでの詳細な説明は省略する。ＣＰＵ６２は、この判定が否定判定となった場合は上記ステップ１５０の処理に戻る一方、この判定が肯定判定となった場合はステップ１５８の処理に移行する。
【００６９】
ステップ１５８では、ＣＰＵ６２は、遮断弁７６Ａを閉状態にすることによりガバナー制御装置６０から各ガスメーター１６へのガスの供給を遮断する。次のステップ１６０では、ＣＰＵ６２は、ガスの供給を遮断する指示を示す遮断指示情報を、通信回線Ｉ／Ｆ部７０を介して各ガスメーター１６に送信して、本ガス供給制御処理プログラムを終了する。一方、各ガスメーター１６は、上記遮断指示情報を受信した場合で、かつ需要家１４へのガスの供給を遮断していない場合は、上記ステップ１１２と同一の処理を行って需要家１４へのガスの供給を遮断する。
【００７０】
図１２及び図１３には、一例として、ガスメーター１６Ｅの加速度センサ４６から出力された３軸の加速度から導出したＳＩ値、及びガバナー制御装置６０の加速度センサ７８から出力された３軸の加速度から導出したＳＩ値が、閾値Ｖ１未満である場合のガスの遮断状態を示している。また、図１２及び図１３では、一例として、ガスメーター１６Ｅ以外のガスメーター１６の加速度センサ４６から出力された３軸の加速度から導出したＳＩ値は閾値Ｖ１以上である状態について示している。
【００７１】
なお、図１２及び図１３では、一例として、ガスメーター１６Ｅの上記ＳＩ値が、震度５弱相当の値である状態を示し、ガスメーター１６Ａ、１６Ｂ、１６Ｉの上記ＳＩ値が、震度５強相当の値である状態を示している。また、図１２及び図１３では、一例として、ガスメーター１６Ｃ、１６Ｄ、１６Ｆ、１６Ｇ、１６Ｊの上記ＳＩ値が、震度６弱相当の値である状態を示し、ガスメーター１６Ｈの上記ＳＩ値が、震度６強相当の値である状態を示している。また、図１２及び図１３では、一例として、ガバナー制御装置６０の上記ＳＩ値が、震度５弱相当の値である状態を示している。
【００７２】
また、図１２は、ガバナー制御装置６０が加速度センサ７８からの出力のみを用いてガスの供給の遮断の制御を行った状態を示している。また、図１３は、本実施の形態のように、ガバナー制御装置６０が加速度センサ７８からの出力に加えて、地域１２内の各ガスメーター１６の加速度センサ４６からの出力も用いてガスの供給の遮断の制御を行った状態を示している。また、図１３は、ガバナー制御装置６０が、上記遮断指示情報を各ガスメーター１６に送信した状態を示している。
【００７３】
図１２に示すように、ガバナー制御装置６０が加速度センサ７８からの出力のみを用いてガスの供給の遮断の制御を行った場合、ガバナー制御装置６０から各ガスメーター１６へのガスの供給は遮断されない。
【００７４】
一方、図１３に示すように、ガバナー制御装置６０が地域１２内の各ガスメーター１６の加速度センサ４６からの出力も用いてガスの供給の遮断の制御を行った場合、ガバナー制御装置６０から各ガスメーター１６へのガスの供給は遮断される。また、ガバナー制御装置６０から各ガスメーター１６に遮断指示情報が送信されているので、上記ＳＩ値が閾値Ｖ１以上となったことを検出していないガスメーター１６Ｅを介したガスの供給も遮断される。
【００７５】
以上説明したように、本実施の形態によれば、上記第１の実施の形態と同様の効果を奏することができる。また、本実施の形態によれば、ガバナー制御装置６０から各ガスメーター１６へのガスの供給を遮断するのみではなく、ガバナー制御装置６０から各ガスメーター１６へ上記遮断指示情報を送信している。これにより、ガバナー制御装置６０から各ガスメーター１６へのガスの供給のみを遮断する場合に比較して、ガスの漏洩がより抑制される。
【００７６】
なお、本実施の形態では、上記保安情報送信処理プログラムにおいて各ガスメーター１６もガスの供給を遮断する処理を行っているがこれに限らない。例えば、各ガスメーター１６は、上記保安情報送信処理ではガスの供給を遮断する処理を行わず、上記ガス供給制御処理のステップ１６０の処理により送信された遮断指示情報を受信した場合にのみガスの供給を遮断してもよい。この場合、上記保安情報送信処理プログラムのステップ１１２の処理は不要となる。
【００７７】
また、本実施の形態では、ガバナー制御装置６０は、各ガスメーター１６に遮断指示情報を送信しているが、これに限らず、ガバナー制御装置６０は、各ガスメーター１６に遮断指示情報を送信しなくてもよい。この場合、上記ガス供給制御処理プログラムのステップ１６０の処理は不要となる。
【００７８】
また、本実施の形態では、ガスメーター１６は、自装置の各センサからの出力のみを用いて、ガスの供給を遮断するか否かの判定を行っているが、これに限らない。本実施の形態でも、上記第１の実施の形態と同様に、ガスメーター１６は、他のガスメーター１６により保安異常を示していると判定されて送信された情報も用いて、ガスの供給を遮断するか否かの判定を行ってもよい。
【００７９】
また、本実施の形態では特に言及しなかったが、ガバナー制御装置６０によるガスの供給の遮断は、各ガスメーター１６によるガスの供給の遮断に比較して影響範囲が大きいため、上記ステップ１５６の処理の判定に用いる上記所定割合を上記第１の実施の形態より厳しい値（すなわち、大きい値）としてもよい。
【００８０】
また、例えば、ガバナー制御装置６０の上記ＳＩ値が震度７相当の値以上である場合等、ガバナー制御装置６０が大規模災害であると判定した場合は、各ガスメーター１６から送信された情報を用いずに各ガスメーター１６へのガスの供給を遮断してもよい。
【００８１】
［第３の実施の形態］
まず、図１４を参照して、本実施の形態に係るガス供給制御システム１０Ｃの構成について説明する。なお、図１４における図８と同一の機能を有する構成部位については図８と同一の符号を付して、その説明を省略する。図１４に示すように、本実施の形態に係るガス供給制御システム１０Ｃは、図示しない管理センタに設けられ、複数の地域１２Ａ〜１２Ｌに１つずつ設置された複数のガバナー制御装置６０を統括して管理する管理装置２００を備えている。なお、各地域１２Ａ〜１２Ｌ内のガバナー制御装置６０及び需要家１４に設置されたガスメーター１６の構成は、上記第２の実施の形態と同様であるので、ここでの説明は省略する。また、錯綜を回避するために、図１４では、地域１２Ｂ〜１２Ｌにおける需要家１４及びガスメーター１６の図示を省略している。また、以下では、地域１２Ａ〜１２Ｌを区別する必要がない場合は、符号末尾のアルファベットを省略する。
【００８２】
本実施の形態に係る管理装置２００は、各ガバナー制御装置６０と有線通信によりデータの送受信が相互に可能となっている。なお、管理装置２００とガバナー制御装置６０との間の通信は無線通信であってもよい。
【００８３】
次に、本実施の形態に係るガバナー制御装置６０について、上記第２の実施の形態に係るガバナー制御装置６０とは異なる部分についてのみ説明する。本実施の形態に係るガバナー制御装置６０は、ＣＰＵ６２により、通信回線Ｉ／Ｆ部７０を介した通信データの送受信をガスメーター１６に加えて、管理装置２００とも行う。
【００８４】
次に、図１５を参照して、本実施の形態に係る管理装置２００の電気系の要部構成について説明する。図１５に示すように、本実施の形態に係る管理装置２００は、管理装置２００の全体的な動作を司るＣＰＵ２０２、及び各種プログラムや各種パラメータ等が予め記憶されたＲＯＭ２０４を備えている。また、管理装置２００は、ＣＰＵ２０２による各種プログラムの実行時のワークエリア等として用いられるＲＡＭ２０６、及びフラッシュメモリ等の不揮発性の記憶部２０８を備えている。
【００８５】
また、管理装置２００は、外部装置と通信データの送受信を行う通信回線Ｉ／Ｆ部２１０、ユーザに対して管理装置２００の動作状況等に関する各種情報を通知する表示部２１２、及びユーザからの各種指示を受け付ける操作部２１４を備えている。そして、ＣＰＵ２０２、ＲＯＭ２０４、ＲＡＭ２０６、記憶部２０８、通信回線Ｉ／Ｆ部２１０、表示部２１２、及び操作部２１４の各部がバス２１６を介して互いに接続されている。
【００８６】
以上の構成により、本実施の形態に係る管理装置２００は、ＣＰＵ２０２により、ＲＯＭ２０４、ＲＡＭ２０６、及び記憶部２０８に対するアクセス、並びに通信回線Ｉ／Ｆ部２１０を介した通信データの送受信を各々行う。また、管理装置２００は、ＣＰＵ２０２により、表示部２１２に対する各種情報の表示、操作部２１４を介した各種データの取得を各々行う。
【００８７】
次に、図１６及び図１７を参照して、本実施の形態に係るガス供給制御システム１０Ｃの作用を説明する。なお、図１６は、例えばガバナー制御装置６０の電源がオン状態とされた際にＣＰＵ６２によって実行されるガス供給制御処理プログラムの処理の流れを示すフローチャートである。また、該ガス供給制御処理プログラムはＲＯＭ６４に予めインストールされている。また、図１６における図１１と同一の処理を実行するステップについては図１１と同一のステップ番号を付して、その説明を省略する。一方、図１７は、例えば管理装置２００の電源がオン状態とされた際にＣＰＵ２０２によって実行されるガス供給管理処理プログラムの処理の流れを示すフローチャートである。また、該ガス供給管理処理プログラムはＲＯＭ２０４に予めインストールされている。また、ガスメーター１６の作用については、上記第２の実施の形態と同様（図１０参照。）であるので、ここでの説明は省略する。
【００８８】
図１６のステップ１６２では、ＣＰＵ６２は、上記ステップ１５６の処理によりガスの供給を遮断すると判定した保安情報の種類を示す種類情報を、通信回線Ｉ／Ｆ部７０を介して管理装置２００に送信して、本ガス供給制御処理プログラムを終了する。また、ＣＰＵ６２は、上記種類情報に加えて、ガバナー制御装置６０が設置されている地域１２の位置を示す位置情報も通信回線Ｉ／Ｆ部７０を介して管理装置２００に送信する。
【００８９】
具体的には、例えば、ＣＰＵ６２は、上記ステップ１５６の処理においてＳＩ値が閾値Ｖ１以上であることを検出したガスメーター１６の数が地域１２内の全ガスメーター１６の数の所定割合以上であることによりガスの供給を遮断すると判定した場合、保安異常がＳＩ値によるものであることを示す情報を上記種類情報として管理装置２００に送信する。
【００９０】
また、例えば、ＣＰＵ６２は、上記ステップ１５６の処理においてセンサ異常信号を検出したガスメーター１６の数が地域１２内の全ガスメーター１６の数の所定割合以上であることによりガスの供給を遮断すると判定した場合、保安異常が超音波センサ４８のセンサ異常によるものであることを示す情報を上記種類情報として管理装置２００に送信する。同様に、ＣＰＵ６２は、上記傾きの角度、長周期ＳＩ値、本体温度、本体温度とガス温度との差、火災発生信号、湿度、及びガスの圧力の各情報についても、各情報に基づいてガスの供給を遮断すると判定した場合、種類情報を管理装置２００に送信する。
【００９１】
図１７のステップ２５０では、ＣＰＵ２０２は、上記ステップ１６２の処理によりガバナー制御装置６０から送信された種類情報及び位置情報を受信する。次のステップ２５２では、ＣＰＵ２０２は、ガバナー制御装置６０から送信された種類情報の受信を終了するタイミングが到来したか否かを判定する。ＣＰＵ２０２は、この判定が否定判定となった場合は上記ステップ２５０の処理に戻る一方、この判定が肯定判定となった場合はステップ２５４の処理に移行する。なお、本実施の形態では、上記受信を終了するタイミングとして、管理装置２００が管理対象とする全てのガバナー制御装置６０から送信された情報を受信したタイミング、及び全てのガバナー制御装置６０から種類情報を受信していない場合でも、最初にガバナー制御装置６０から種類情報を受信してから、一定期間が経過したタイミングを適用している。
【００９２】
ステップ２５４では、ＣＰＵ２０２は、上記ステップ２５０の処理により受信した種類情報及び位置情報を用いて、管理対象とする全てのガバナー制御装置６０のうち、種類情報を送信していないガバナー制御装置６０が存在するか否かを判定する。ＣＰＵ２０２は、この判定が否定判定となった場合は、管理対象とする全てのガバナー制御装置６０がガスの供給の遮断を行ったものと見なして上記ステップ２５０の処理に戻る。一方、ＣＰＵ２０２は、この判定が肯定判定となった場合はステップ２５６の処理に移行する。
【００９３】
ステップ２５６では、ＣＰＵ２０２は、上記ステップ２５４の処理により種類情報を送信していないと判定したガバナー制御装置６０の何れかを処理対象（以下、「処理対象装置」という。）として、処理対象装置が設置されている地域１２に隣接する地域１２に設置されているガバナー制御装置６０の少なくとも一つから種類情報が送信されているか否かを判定する。なお、本ステップ２５６を２回目以降に実施する場合は、それまで処理の対象としてないガバナー制御装置６０を処理対象装置とする。
【００９４】
なお、ＣＰＵ２０２は、処理対象装置が設置されている地域１２に隣接する地域のガバナー制御装置６０の少なくとも一つから種類情報が送信されているか否かではなく、該地域１２に隣接する全てのガバナー制御装置６０から種類情報が送信されているか否かを判定してもよい。また、該種類情報が送信されているか否かを判定する基準の隣接するガバナー制御装置６０の数は、要求される判定精度等に応じて適宜決めればよい。ＣＰＵ２０２は、この判定が肯定判定となった場合はステップ２５８の処理に移行する一方、この判定が否定判定となった場合はステップ２５８の処理を実行することなくステップ２６０の処理に移行する。
【００９５】
ステップ２５８では、ＣＰＵ２０２は、処理対象装置へガスの供給の遮断を指示する遮断指示情報を送信する。処理対象装置は、遮断指示情報を受信すると上記ステップ１５８及びステップ１６０と同様の処理を行う。
【００９６】
ステップ２６０では、ＣＰＵ２０２は、上記ステップ２５４の処理により種類情報を送信していないと判定した全てのガバナー制御装置６０に対して以上のステップ２５６及びステップ２５８の処理を行ったか否かを判定する。ＣＰＵ２０２は、この判定が否定判定となった場合は上記ステップ２５６の処理に戻る一方、この判定が肯定判定となった場合はステップ２６２の処理に移行する。
【００９７】
ステップ２６２では、ＣＰＵ２０２は、本ガス供給管理処理プログラムを終了するタイミングとして予め定められたタイミングが到来したか否かを判定する。なお、該終了するタイミングとしては、ユーザにより操作部２１４を介してプログラムの実行終了を指示する入力が行われたタイミング等を適用すればよい。ＣＰＵ２０２は、この判定が否定判定となった場合は上記ステップ２５０の処理に戻る一方、この判定が肯定判定となった場合は本ガス供給管理処理プログラムを終了する。
【００９８】
図１８及び図１９には、一例として、地域１２Ａ、１２Ｄ〜１２Ｆ、１２Ｈ、１２Ｉのガバナー制御装置６０が、各ガスメーター１６から送信された情報に基づき、火災が発生していると判定した状態を示している。なお、図１８は、ガバナー制御装置６０がガスの供給の遮断の制御を個々に行った状態を示している。また、図１９は、本実施の形態のように、管理装置２００が複数のガバナー制御装置６０から送信された種類情報に基づきガスの供給を遮断するか否かを判定した状態を示している。
【００９９】
図１８に示すように、ガバナー制御装置６０がガスの供給の遮断の制御を個々に行った場合、地域１２Ｇのガバナー制御装置６０はガスの供給の遮断を行わない。一方、図１９に示すように、地域１２Ｇに隣接する地域１２Ａ、１２Ｄ〜１２Ｆ、１２Ｈ、１２Ｉのガバナー制御装置６０は火災が発生していると判定している。そして、管理装置２００が、各ガバナー制御装置６０から送信された種類情報に基づきガスの供給を遮断するか否かを判定した場合、管理装置２００は該種類情報に基づき地域１２Ｇのガバナー制御装置６０へ遮断指示情報を送信する。従って、火災が発生していると判定していない地域１２Ｇのガバナー制御装置６０からのガスの供給が遮断される。
【０１００】
なお、図１８及び図１９では、一例として火災について説明したが、これに限らない。例えば、湿度センサ５４によりガスメーター１６やガス管に水が浸入していると判定した場合（すなわち、水害）等、大規模災害等により被害地域が徐々に広がっていく他の場合についても同様である。
【０１０１】
以上説明したように、本実施の形態によれば、上記第１の実施の形態及び第２の実施の形態と同様の効果を奏することができる。また、本実施の形態によれば、管理装置２００が、複数のガバナー制御装置６０から送信された情報に基づいてガスの供給を遮断するか否かを判定している。これにより、各ガバナー制御装置６０が個々にガスの供給を遮断するか否かを判定する場合に比較して、ガスの供給を精度良く遮断することができる。
【０１０２】
なお、本実施の形態では、管理装置２００が各ガバナー制御装置６０から種類情報を受信しているがこれに限らない。例えば、上記第２の実施の形態に係るガバナー制御装置６０と同様に、管理装置２００が管理対象とする地域１２に設置されている全てのガスメーター１６から情報を受信してもよい。この場合、管理装置２００は、地域１２毎に上記第２の実施の形態に係るガバナー制御装置６０と同様に、ガスメーター１６から受信した情報に基づきガスの供給を遮断するか否かを判定すればよい。
【０１０３】
以上、各実施の形態を説明したが、本発明の技術的範囲は上記各実施の形態に記載の範囲には限定されない。発明の要旨を逸脱しない範囲で上記各実施の形態に多様な変更又は改良を加えることができ、該変更又は改良を加えた形態も本発明の技術的範囲に含まれる。
【０１０４】
また、上記各実施の形態は、クレーム（請求項）にかかる発明を限定するものではなく、また各実施の形態の中で説明されている特徴の組み合わせの全てが発明の解決手段に必須であるとは限らない。前述した各実施の形態には種々の段階の発明が含まれており、開示される複数の構成要件の組み合わせにより種々の発明が抽出される。各実施の形態に示される全構成要件から幾つかの構成要件が削除されても、効果が得られる限りにおいて、この幾つかの構成要件が削除された構成が発明として抽出され得る。
【０１０５】
例えば、上記各実施の形態では、複数種類の保安情報のうち、１つでも判定基準を満たした場合にガスの供給を遮断する場合について説明したが、本発明はこれに限定されるものではない。例えば、複数種類の保安情報のうち、２つ以上が判定基準を満たした場合にガスの供給を遮断する形態としてもよい。この場合、例えば、上記ＳＩ値と上記傾きの角度と上記長周期ＳＩ値、温度センサ５０からの出力と火災センサ５２からの出力、及び超音波センサ４８からの出力と湿度センサ５４からの出力等、相関性のある複数種類の保安情報が判定基準を満たした場合にガスの供給を遮断する形態が例示される。
【０１０６】
また、上記各実施の形態では、特に言及しなかったが、ガスの供給を遮断した後に、ガスの供給の自動復帰を制御する形態としてもよい。この場合、ガスメーター１６が、ガスの供給を遮断した後に、各センサからの出力が保安異常を示していない状態となった場合でも、他のガスメーター１６により保安異常を示していると判定されて送信された情報に基づき、上記第１の実施の形態のステップ１１０の処理と同様の処理によりガスの供給を遮断すると判定した場合は、自動復帰を禁止する制御を行う形態が例示される。
【０１０７】
また、例えば、ガバナー制御装置６０が、ガスの供給を遮断した後に、加速度センサ７８の出力が保安異常を示していない状態となった場合でも、各ガスメーター１６により保安異常を示していると判定されて送信された情報に基づいて、上記第２の実施の形態のステップ１５６と同様の処理によりガスの供給を遮断すると判定した場合は、自動復帰を禁止する制御を行う形態が例示される。
【０１０８】
また、上記各実施の形態では、各種プログラムがＲＯＭ３２、ＲＯＭ６４、及びＲＯＭ２０４に予めインストールされている場合について説明したが、本発明はこれに限定されるものではない。例えば、各種プログラムが、ＣＤ−ＲＯＭ（Compact Disk Read Only Memory）等の記憶媒体に格納されて提供される形態、又はネットワークを介して提供される形態としてもよい。
【０１０９】
さらに、上記各実施の形態では、ガス供給制御処理、保安情報送信処理、及びガス供給管理処理の各処理を、プログラムを実行することにより、コンピュータを利用してソフトウェア構成により実現する場合について説明したが、本発明はこれに限定されるものではない。例えば、該各処理を、ハードウェア構成や、ハードウェア構成とソフトウェア構成の組み合わせによって実現する形態としてもよい。
【０１１０】
その他、上記各実施の形態で説明したガス供給制御システム、ガスメーター、ガバナー制御装置、及び管理装置の構成（図１、図２、図８、図９、図１４、図１５参照。）は一例であり、本発明の主旨を逸脱しない範囲内において不要な部分を削除したり、新たな部分を追加したりしてもよいことは言うまでもない。
【０１１１】
また、上記各実施の形態で説明した各種プログラムの処理の流れ（図３、図１０、図１１、図１６、図１７参照。）も一例であり、本発明の主旨を逸脱しない範囲内において不要なステップを削除したり、新たなステップを追加したり、処理順序を入れ替えたりしてもよいことは言うまでもない。
【符号の説明】
【０１１２】
１０Ａ、１０Ｂ、１０Ｃ…ガス供給制御システム、１２…地域、１４…需要家、１６…ガスメーター、３０、６２、２０２…ＣＰＵ、３８、７０、２１０…通信回線Ｉ／Ｆ部、４６、７８…加速度センサ、４８…超音波センサ、５０…温度センサ、５２…火災センサ、５４…湿度センサ、５６…圧力センサ、６０…ガバナー制御装置、２００…管理装置
【図１】
2018204947.tif 000003
【図２】
2018204947.tif 000004
【図３】
2018204947.tif 000005
【図４】
2018204947.tif 000006
【図５】
2018204947.tif 000007
【図６】
2018204947.tif 000008
【図７】
2018204947.tif 000009
【図８】
2018204947.tif 000010
【図９】
2018204947.tif 000011
【図１０】
2018204947.tif 000012
【図１１】
2018204947.tif 000013
【図１２】
2018204947.tif 000014
【図１３】
2018204947.tif 000015
【図１４】
2018204947.tif 000016
【図１５】
2018204947.tif 000017
【図１６】
2018204947.tif 000018
【図１７】
2018204947.tif 000019
【図１８】
2018204947.tif 000020
【図１９】
2018204947.tif 000021